(57)【要約】【課題】シート材料展張体を保持するフレーム【解決手段】支持体と、必須要件として前記支持体から互いに平行して横断方向に延出する２つの脚部とを有するシート金属の展張体を保持するためのフレームであって、前記脚部には、１枚のシート材料の両端部の各一方を前記脚部に固定するための固定手段が設けられており、少なくとも一方の前記脚部は、前記支持体に沿って、他方の端部から進退移動することができるとともに、脚部の間に固定された１枚のシート金属材料のストレッチおとび／または収縮を補償するために、補償手段が設けられているフレーム。【選択図】　　図３
2004107792.tif 000002
【特許請求の範囲】
【請求項１】
支持体（１）と、必須要件として前記支持体（１）から互いに平行して横断方向に延出する２つの脚部（２，３）とを有するシート金属の展張体（ｔａｕｔ）を保持するためのフレームであって、前記脚部（２，３）には、１枚のシート材料の両端部の各一方を前記脚部（２，３）に固定するための固定手段（１１）が設けられており、
少なくとも一方の前記脚部（３）は、前記支持体（１）に沿って、他方の端部（２）から進退移動することができる点を特徴とするフレーム。
【請求項２】
脚部（２，３）の間に固定された１枚のシート金属材料のストレッチおとび／または収縮を補償するために、補償手段（１２）が設けられている請求項１記載のフレーム。
【請求項３】
前記補償手段（１２）は、ばね部材（２２）を有し、前記ばねの一方の端部はフレーム内において１つの固定点（１９）に接触することができ、他方の端部は、可動脚部（３）と協働する請求項１または２記載のフレーム。
【請求項４】
補償手段（１２）は、支持体（１）の色々な位置に固定することが可能な固定手段（１３）を有しており、前記固定手段（１３）と可動脚部（３）の間には、ばね部材（２２）が延出している請求項２または３記載のフレーム。
【請求項５】
支持体（１）は、Ｉ字状または逆Ｔ字状のビームを有し、固定手段は、支持体（１）の底部フランジ（１０）の周囲の可動クランプ（１３）を有する請求項１〜４のいずれか１記載のフレーム。
【請求項６】
クランプ（１３）は、スライダ（１５）を有し、可動脚部（３）が前記スライダに関連してスライドすることができ、前記スライダ（１５）は、脚部（３）のクランプ（１３）に関連するスライド移動を制限するためのストッパ（１７）を備える請求項５記載のフレーム。
【請求項７】
ばね部材は、螺旋ばね（２２）とこれを貫通して延出する案内部材（１８）とを有し、前記案内部材（１８）は、それがスライドして反対側端部において脚部（３）に固定されるように、その一方の端部においてクランプ（１３）に取り付けられるように、クランプ（１３）に取り付けられている請求項１〜６のいずれか１記載のフレーム。
【請求項８】
案内部材（１８）は、ストッパ（２０）を有し、もしもこのストッパ（２０）がクランプ（１３）と接触するならば、螺旋ばね（２２）がクランプ（７）と脚部（３）との間で予め張力がかけられるようにクランプ（１３）と協働する請求項７１記載のフレーム。
【請求項９】
可動脚部（３）は、ビーム（１）に対し転動することができるローラ（８）を備えるベース（７）を有している請求項１〜８のいずれか１記載のフレーム。
【請求項１０】
前記脚部（２，３）はシート金属材料に電気分解電流を供給するための接点手段（１１）を有している請求項１〜９のいずれか１記載のフレーム。
【請求項１１】
液浴を収容する容器と、請求項９記載のフレームとを有する金属シートに電気化学的処理を施すためのデバイス。
【請求項１２】
前記容器は、クロム酸からなる液浴を収容するように具体化されている請求項１１記載のデバイス。
【発明の詳細な説明】
【０００１】
【発明の属する技術分野】
この発明は、支持体と、必須要件として支持体から互いに平行して横断方向に延出する２つの脚部を有するシート材料の展張体（ｔａｕｔ）を保持するフレームに関し、シート材料の対向両端部をそれぞれ固定するための固定手段が前記脚部に設けられている。
【０００２】
【従来の技術】
そのようなフレームは、例えば、金属製シート表面の電気分解処理に使用される。展張シートを取り付けたフレームは、この目的で電気分解液を収容した浴内に置かれる。航空宇宙産業用のラミネートスキンパネルを形成するために処理されるアルミニュームシートの事前処理を例に挙げることができる。そのようなアルミニュームシートは、クロム酸浴中で陽極処理される。
【０００３】
通常、シートはかなり薄く、０．３ｍｍと０．４ｍｍの間であるから、それらは皺、スクラッチ、その他の損傷を受けやすい。そのために、フレームの使用が必要である。
【０００４】
シートを取り付けたフレームは、浴中に垂直に置かれる。比較的薄いシートがこの作業中にたるむことを防ぐために、シートは展張状態でフレームに保持されなければならない。事前の引っ張りによって発生する引っ張り張力は、電気分解処理の全過程を通して維持されなければならない。しかしながら、このことは、常に保証されるというわけではない。特に、比較的大きいシートの場合はなおさらである。電気分解処理の結果として、温度の上昇が発生し、その結果シートが膨張する。結果的に事前に付与された引っ張り張力は減少し、時には完全に喪失してしまうことさえある。したがって、シートはたるみ始め、これが損傷と皺につながる。
【０００５】
【発明が解決しようとする課題】
この発明の目的は、このような問題が生じないフレームを提供することである。
【０００６】
【課題を解決するための手段】
この目的は、少なくとも一方の脚部が支持体に沿って他方の脚部から前後に移動することにおいて解決される。この発明の好ましい具体例に拠れば、両脚部の間に固定されたシート材料のストレッチおよび／または収縮を補償するために可動脚部と協働する補償手段が設けられる。
【０００７】
処理中に展張シートが熱くなるとき、シート中の事前に付与された引っ張り張力が、それにもかかわらずこの補償手段の機能によって維持されることができる。これらは、様々な態様で構築されることができる。好ましくは、この補償手段は、ばね部材を有し、ばねの一方の端部がフレームの固定点と接することができ、他方の端部が、可動脚部と協働する。しかしながら、例えば、張力センサによって制御される展張体を保持するための動力手段を備えるような他の具体例もまた可能である。
【０００８】
この補償手段は、支持体に沿って色々な位置に固定される固定手段を備えることができ、ばね部材は前記の固定部材と可動脚部の間に延出している。支持部材はＩ字状または逆Ｔ字状のビームを備えることができ、この場合、固定手段は、支持体の底部フランジ周囲の可動クランプを有することができる。クランプは、好ましくは、クランプが、スライダを備え、これに関連して可動脚部がスライドさせられ、前記スライダは、クランプに関連する脚部のスライド移動を制限するストッパを有している。
【０００９】
１つの簡単な具体例によれば、ばね部材は螺旋状ばねと、この螺旋状ばねを貫通して延出する案内部材を有し、この案内部材は、それがスライドして反対側端部において脚部に固定されるように、その一方の端部においてクランプに取り付けられる。この案内部材は、ストッパを有し、もしもこのストッパがクランプと接触するならば、螺旋ばねがクランプと脚部との間で予め張力がかけられるようにクランプと協働する。
【００１０】
可動脚部は、ビームに対し転動することができるローラを備えるベースを有している。従来の態様においては、この脚部はシート金属材料に電気分解電流を供給するための接点手段を有している。
【００１１】
最後に、この発明は、浴液収容容器と上記のフレームとを有する、シート金属に電気化学的処理を施すためのデバイスに関する。
【００１２】
【発明の実施の形態】
この発明は、図示されるこの発明のフレームの図解的具体例を参照しつつ更に説明される。
【００１３】
この発明のフレームは、Ｉ字型ビームとして構築される支持体１を有し、関連する２つの脚部２、３が互いに横方向に平行に延出している。これらの脚部はそれぞれ、多少傾斜しているストラット５によって抱持される互いに平行な主部材４を備える三角形を呈する。
【００１４】
一方の脚部２は、ボルト締めされたジョイント６によってＩ字型ビーム１に固定されている。他方の脚部５は、トロリー７によって支持されており、トロリー７は、支持体１に沿って移動することができるホイール８を有している。ローラ８はそれぞれＩ字型支持体１のフランジ９、１０の一方と接している。
【００１５】
脚部２、３の主部材４は、それぞれ、杷持具１１を備えており、（図示しない）シートがこれによって杷持される。この杷持具１１もまた、展張体（ｔａｕｔ）シートに電圧をかけることができる電気接点を備えている。
【００１６】
関係するシートの電気分解処理を行なう間、シートは熱くなり、その結果として膨張が発生する。しかしながら、脚部２、３の間の予備的に付与された引っ張り張力の下で展張状態のままであり、全体が符号１２によって示される補償手段がこの目的で設けられることが重要である。この補償手段１２は、支持体１の底部フランジ１０にフィットするクランプ１３を有している。適当なねじ接続具１４によって、このクランプ１３は支持体１の所望位置に固定されるか、移動可能なように解放される。
【００１７】
トロリー７内の対応するスロット１６を貫通する１つのスライダー１５が、クランプ１３に固定されている。クランプ１３から遠い方のスライダー１５の端部には、トロリーがスライダー１５から脱落しないようにするためにストッパ１７が存在している。
【００１８】
更に、ピン状案内部材１８が脚部３に固定されており、この案内部材１８は、クランプ１３の下方を指向するリップ１９内の対応する孔を通って突出している。このピン１８は、リップ１９内の孔よりも大きい断面を具備するヘッド２０を有しているので、この孔を通り抜けることはできない。
【００１９】
予め張力を付与された螺旋状ばね２２が、リップ１９と脚部３のストッパ２１の間に延出している。
【００２０】
シートが脚部２、３の間でトート（ｔａｕｔ）状態に展張された後、クランプ１３は、リップ１９がヘッド２０から自由になるように移動され、ばね１８が押圧される。この状態において、クランプ１３はねじ接続部１４によって、支持体１に関してロックされる。シートが熱くなり、処理工程の影響を受けてストレッチされると、ばね１８によって発生される引張り力はシート内において依然として維持される。その理由は、脚部３が、事前に付与されたばねの影響により多少とも移動することができるからである。この移動経路は、ヘッド２０がリップ１９と接触しないように充分に長くなければならない。
【００２１】
シートが製造される金属例は、Ａｌ、Ｔｉ、Ｓｃ、Ｃｕ、Ｍｇ、およびＬｉであってよい。
【図面の簡単な説明】
【図１】フレームの一部の側面図。
【図２】フレームの一部の平面図。
【図３】分解組立状態におけるフレームの一部。
【符号の説明】
１…支持体，２…脚部，３…脚部，１０…底部フランジ，１１…杷持具，１２…補償手段，１３…クランプ，１５…スライダー，１７…ストッパ，１８…ピン状案内部材，１９…リップ，２０…ヘッド，２２…螺旋ばね。
【図１】
2004107792.tif 000003
【図２】
2004107792.tif 000004
【図３】
2004107792.tif 000005